(57)【要約】【課題】伝送対象となる信号とパイロット信号が合成された信号をＩＦ信号からＲＦ信号へ変換して、送信側装置１から受信側装置２へ伝送する伝送装置で、装置構成の簡易化や装置の安価化を実現する。【解決手段】送信側装置及び受信側装置では、伝送対象となる信号のＩＦとして８９５〜９１５ＭＨｚを使用する。受信側装置では、受信手段３１が送信側装置から送信されたＲＦ信号を受信し、ＩＦ変換手段３４が受信されたＲＦ信号をＩＦ信号へ変換し、パイロット信号抽出手段３７がパイロット信号に対応する周波数の信号を通過させる特性を有する１個のフィルタを用いて前記変換されたＩＦ信号に含まれるパイロット信号を抽出し、ローカル信号生成手段３８、３９、３５が抽出されたパイロット信号に基づいて周波数変換のためのローカル信号を生成する。【選択図】  図１
2010087943.tif 000002
【特許請求の範囲】
【請求項１】
伝送対象となる信号とパイロット信号が合成された信号をＩＦ信号からＲＦ信号へ変換して、送信側装置から受信側装置へ伝送する伝送装置において、
前記送信側装置及び前記受信側装置では、前記伝送対象となる信号のＩＦとして８９５〜９１５ＭＨｚを使用し、
前記受信側装置は、前記送信側装置から送信された前記ＲＦ信号を受信する受信手段と、
前記受信手段により受信されたＲＦ信号をＩＦ信号へ変換するＩＦ変換手段と、
前記パイロット信号に対応する周波数の信号を通過させる特性を有する１個のフィルタを用いて、前記ＩＦ変換手段により変換されたＩＦ信号に含まれる前記パイロット信号を抽出するパイロット信号抽出手段と、
前記パイロット信号抽出手段により抽出されたパイロット信号に基づいて周波数変換のためのローカル信号を生成するローカル信号生成手段と、を備えた、
ことを特徴とする伝送装置。
【発明の詳細な説明】
【技術分野】
【０００１】
本発明は、例えば、中間周波数（ＩＦ：Ｉｎｔｅｒｍｅｄｉａｔｅ  Ｆｒｅｑｕｅｎｃｙ）方式の送信所間伝送（ＴＴＬ：Ｔｒａｎｓｍｉｔｔｅｒ  ｔｏ  Ｔｒａｎｓｍｉｔｔｅｒ  Ｌｉｎｋ）装置といった伝送装置に関し、特に、装置構成の簡易化や装置の安価化を図った伝送装置に関する。
【背景技術】
【０００２】
例えば、地上デジタルテレビジョン放送システムでは、伝送装置として、スタジオと親局との間をリンクするＳＴＬ（Ｓｔｕｄｉｏ  ｔｏ  Ｔｒａｎｓｍｉｔｔｅｒ  Ｌｉｎｋ）装置や、親局と子局或いは中継局との間及び子局或いは中継局の間をリンクするＴＴＬ装置などが用いられている（例えば、特許文献１参照。）。
また、通信帯域として、Ｂバンド（５８５０〜５９２５ＭＨｚ）、Ｃバンド（６４２５〜６５７０ＭＨｚ）、Ｄバンド（６８７０〜７１２５ＭＨｚ）、Ｅバンド（１０２５０〜１０４５０ＭＨｚ）、Ｆバンド（１０５５０〜１０６８０ＭＨｚ）、Ｇバンド（１２９５０〜１３２５０ＭＨｚ）が用いられる。
【０００３】
図４には、従来技術に係るＩＦ方式のＴＴＬ装置の構成例を示してある。本例のＴＴＬ装置は、送信変換器５１と受信変換器５２から構成されている。
送信変換器５１における動作について説明する。
送信変換器５１は、前段機器６１からの３７．１５ＭＨｚ信号ｃ１と、基準信号発生器６２からの１０ＭＨｚ基準信号ｃ２を受けて動作する。
【０００４】
１０ＭＨｚ基準信号ｃ２が入力された１０ＭＨｚ発振部６４は、１０ＭＨｚ信号ｃ５を出力して、これをパイロット発振部６５、１ｓｔ  Ｌｏ発振部６６、２ｎｄ  Ｌｏ発振部６７に入力する。
パイロット発振部６５では４１．１５ＭＨｚパイロット信号ｃ６が出力され、このパイロット信号が、３７．１５ＭＨｚ  帯域通過フィルタ（ＢＰＦ：Ｂａｎｄ  Ｐａｓｓ  Ｆｉｌｔｅｒ）６３を３７．１５ＭＨｚ信号ｃ１が通過した結果である３７．１５ＭＨｚ  ＢＰＦ信号ｃ３と合成されて、当該合成により得られる３７．１５信号ｃ４がミキサ６８に入力される。
【０００５】
１ｓｔ  Ｌｏ発振部６６からの出力である１ｓｔ  Ｌｏ（１４６２．５ＭＨｚ）信号ｃ７が、ミキサ６８に入力される。
ミキサ６８では、３７．１５信号ｃ４と１ｓｔ  Ｌｏ（１４６２．５ＭＨｚ）信号ｃ７が乗算される。
ミキサ６８からの出力である１５００ＭＨｚ  ＩＦ信号ｃ９は、１５００ＭＨｚ  ＢＰＦ６９を通過して、１５００ＭＨｚ  ＢＰＦ信号ｃ１０となり、ミキサ７０に入力される。
２ｎｄ  Ｌｏ発振部６７は、２ｎｄ  Ｌｏ（ＲＦ−１５００ＭＨｚ）信号ｃ８を出力し、この信号がミキサ７０に入力される。ここで、２ｎｄ  Ｌｏ発振部６７はシンセサイザを用いており、設定した同一バンド内であれば発振周波数を可変に変更することができる。
【０００６】
ミキサ７０では、１５００ＭＨｚ  ＢＰＦ信号ｃ１０と２ｎｄ  Ｌｏ（ＲＦ−１５００ＭＨｚ）信号ｃ８とを乗算し、当該乗算により得られるＲＦ（Ｒａｄｉｏ  Ｆｒｅｑｕｅｎｃｙ）信号ｃ１１を出力する。
ＲＦ信号ｃ１１は、ＲＦ  ＢＰＦ７１を通過して、ＲＦ  ＢＰＦ信号ｃ１２となる。ここで、ＲＦ  ＢＰＦ７１の通過周波数帯域は、設定バンドの帯域幅になるため、２ｎｄ  Ｌｏ発振部６７の発振周波数である２ｎｄ  Ｌｏ（ＲＦ−１５００ＭＨｚ）信号ｃ８の周波数が可変しても対応することができる。
ＲＦ  ＢＰＦ信号ｃ１２は、ＰＡ（Ｐｏｗｅｒ  Ａｍｐｌｉｆｉｅｒ）７２で増幅されて、ＰＡ信号ｃ１３となる。
ＰＡ信号ｃ１３は、送信アンテナ７３を通じて、ＲＦ  ｏｕｔ信号ｃ１４として受信変換器５２へ無線により送信される。
【０００７】
受信変換器５２における動作について説明する。
送信変換器５１から無線送信されたＲＦ  ｏｕｔ信号ｃ１４が、受信アンテナ８１で受信され、ＲＦ  ＩＮ信号ｄ１として出力されて、ＬＮＡ（Ｌｏｗ  Ｎｏｉｓｅ  Ａｍｐｌｉｆｉｅｒ）８２に入力される。
ＬＮＡ８２でＲＦ  ＩＮ信号ｄ１が増幅されて、ＬＮＡ信号ｄ２となる。
ＬＮＡ信号ｄ２は、ＲＦ  ＢＰＦ８３を通過してＲＦ  ＢＰＦ信号ｄ３となり、ミキサ８４に入力される。
【０００８】
ミキサ８４からの出力である１５００ＭＨｚ  ＩＦ信号ｄ４は、１５００ＭＨｚ  ＢＰＦ８６に入力される。
１５００ＭＨｚ  ＢＰＦ８６を通過した１５００ＭＨｚ  ＢＰＦ信号ｄ６は、ミキサ９１と１５０４ＭＨｚ  ＢＰＦ８７に入力される。
１５０４ＭＨｚ  ＢＰＦ８７を通過した１５０４ＭＨｚ  ＢＰＦ信号ｄ７は、１５０４ＭＨｚ  ＢＰＦ８８に入力される。
ここで、２個の１５０４ＭＨｚ  ＢＰＦ８７、８８で１５００ＭＨｚ  ＢＰＦ信号ｄ６から１５０４ＭＨｚパイロット信号ｄ８を取り出しており、この信号が１０ＭＨｚ発振部８９に入力される。
【０００９】
１０ＭＨｚ発振部８９では１５０４ＭＨｚパイロット信号ｄ８から１０ＭＨｚ信号ｄ９を生成し、この信号が１ｓｔ  Ｌｏ発振部８５及び２ｎｄ  Ｌｏ発振部９０に入力される。
１ｓｔ  Ｌｏ発振部８５では１ｓｔ  Ｌｏ（ＲＦ−１５００ＭＨｚ）信号ｄ５を出力し、この信号がミキサ８４に入力される。ここで、１ｓｔ  Ｌｏ発振部８５はシンセサイザを用いており、設定した同一バンド内であれば発振周波数を可変に変更することができる。
ミキサ８４では、ＲＦ  ＢＰＦ信号ｄ３と１ｓｔ  Ｌｏ（ＲＦ−１５００ＭＨｚ）信号ｄ５を乗算し、当該乗算により得られる１５００ＭＨｚ  ＩＦ信号ｄ４を出力する。
【００１０】
２ｎｄ  Ｌｏ発振部９０では２ｎｄ  Ｌｏ（１４６２．５ＭＨｚ）信号ｄ１０を出力し、この信号がミキサ９１に入力される。
ミキサ９１では、１５００ＭＨｚ  ＢＰＦ信号ｄ６と２ｎｄ  Ｌｏ（１４６２．５ＭＨｚ）信号ｄ１０を乗算して、当該乗算により得られる３７．１５ＭＨｚ信号ｄ１１を出力する。
３７．１５ＭＨｚ信号ｄ１１は、３７．１５ＭＨｚ  ＢＰＦ９２を通過して、３７．１５ＭＨｚ  ＢＰＦ信号ｄ１２となる。
３７．１５ＭＨｚ  ＢＰＦ信号ｄ１２は、４１．１５ＭＨｚ  ＢＥＦ（Ｂａｎｄ  Ｅｍｉｓｓｉｏｎ  Ｆｉｌｔｅｒ）９３を通過して、４１．１５ＭＨｚ  ＢＥＦ信号ｄ１３となる。
【００１１】
４１．１５ＭＨｚ  ＢＥＦ信号ｄ１３は、３７．１５ＭＨｚ  ＢＰＦ９４を通過して、３７．１５ＭＨｚ  ＢＰＦ信号ｄ１４となる。
３７．１５ＭＨｚ  ＢＰＦ信号ｄ１４は、後段機器９５へと渡される。
ここで、受信変換器５２には、１０ＭＨｚ信号ｄ９を後段へ出力する端子は付いていない。
【００１２】
次に、ＩＦに１５００ＭＨｚを採用してスプリアスの落込みを抑えている点について、図５には送信側のスプリアスチャートを示してあり、図６には受信側のスプリアスチャートを示してある。ここで、スプリアスチャートは、周波数変換をする際に、使用する帯域内へスプリアスの落込みがあるかを確認するための図である。
【００１３】
図５を参照して、送信側について説明する。
図５は、図４におけるミキサ７０の入出力信号について表している。縦軸はＲＦ信号ｃ１１の周波数と２ｎｄ  Ｌｏ（ＲＦ−１５００ＭＨｚ）信号ｃ８の周波数との比を表しており、横軸は１５００ＭＨｚ  ＢＰＦ信号ｃ１０の周波数と２ｎｄ  Ｌｏ（ＲＦ−１５００ＭＨｚ）信号ｃ８の周波数との比を表している。２ｎｄ  Ｌｏ（ＲＦ−１５００ＭＨｚ）信号ｃ８が可変するため、比の値が変化する。
【００１４】
２ｎｄ  Ｌｏ  ＋  ＩＦ線２０１は、２ｎｄ  Ｌｏ（ＲＦ−１５００ＭＨｚ）信号ｃ８の周波数と１５００ＭＨｚ  ＢＰＦ信号ｃ１０の周波数を足した線であり、希望する周波数となる。
３ＩＦ線２０２は、１５００ＭＨｚ  ＢＰＦ信号ｃ１０の３倍の周波数の線である。
以降の線はスプリアスとなる。
【００１５】
４ＩＦ線２０３は、１５００ＭＨｚ  ＢＰＦ信号ｃ１０の４倍の周波数の線である。
５ＩＦ線２０４は、１５００ＭＨｚ  ＢＰＦ信号ｃ１０の５倍の周波数の線である。
６ＩＦ線２０５は、１５００ＭＨｚ  ＢＰＦ信号ｃ１０の６倍の周波数の線である。
７ＩＦ線２０６は、１５００ＭＨｚ  ＢＰＦ信号ｃ１０の７倍の周波数の線である。
８ＩＦ線２０７は、１５００ＭＨｚ  ＢＰＦ信号ｃ１０の８倍の周波数の線である。
【００１６】
２ｎｄ  Ｌｏ  ＋  ２ＩＦ線２０８は、２ｎｄ  Ｌｏ（ＲＦ−１５００ＭＨｚ）信号ｃ８の周波数と１５００ＭＨｚ  ＢＰＦ信号ｃ１０の２倍の周波数を足した線である。
２（２ｎｄ  Ｌｏ）  ＋  ２ＩＦ線２０９は、２ｎｄ  Ｌｏ（ＲＦ−１５００ＭＨｚ）信号ｃ８の２倍の周波数と１５００ＭＨｚ  ＢＰＦ信号ｃ１０の２倍の周波数を足した線である。
２（２ｎｄ  Ｌｏ）  ＋  ３ＩＦ線２１０は、２ｎｄ  Ｌｏ（ＲＦ−１５００ＭＨｚ）信号ｃ８の２倍の周波数と１５００ＭＨｚ  ＢＰＦ信号ｃ１０の３倍の周波数を足した線である。
２（２ｎｄ  Ｌｏ）  ＋  ４ＩＦ線２１１は、２ｎｄ  Ｌｏ（ＲＦ−１５００ＭＨｚ）信号ｃ８の２倍の周波数と１５００ＭＨｚ  ＢＰＦ信号ｃ１０の４倍の周波数を足した線である。
２（２ｎｄ  Ｌｏ）  ＋  ５ＩＦ線２１２は、２ｎｄ  Ｌｏ（ＲＦ−１５００ＭＨｚ）信号ｃ８の２倍の周波数と１５００ＭＨｚ  ＢＰＦ信号ｃ１０の５倍の周波数を足した線である。
【００１７】
２（２ｎｄ  Ｌｏ）  ＋  ６ＩＦ線２１３は、２ｎｄ  Ｌｏ（ＲＦ−１５００ＭＨｚ）信号ｃ８の２倍の周波数と１５００ＭＨｚ  ＢＰＦ信号ｃ１０の６倍の周波数を足した線である。
２（２ｎｄ  Ｌｏ）  ＋  ７ＩＦ線２１４は、２ｎｄ  Ｌｏ（ＲＦ−１５００ＭＨｚ）信号ｃ８の２倍の周波数と１５００ＭＨｚ  ＢＰＦ信号ｃ１０の７倍の周波数を足した線である。
２（２ｎｄ  Ｌｏ）  ＋  ８ＩＦ線２１５は、２ｎｄ  Ｌｏ（ＲＦ−１５００ＭＨｚ）信号ｃ８の２倍の周波数と１５００ＭＨｚ  ＢＰＦ信号ｃ１０の８倍の周波数を足した線である。
２（２ｎｄ  Ｌｏ）  ＋  ９ＩＦ線２１６は、２ｎｄ  Ｌｏ（ＲＦ−１５００ＭＨｚ）信号ｃ８の２倍の周波数と１５００ＭＨｚ  ＢＰＦ信号ｃ１０の９倍の周波数を足した線である。
【００１８】
Ｂバンド（送信１５００）２２３は、ＩＦが１５００ＭＨｚであるときにおける、送信側のＢバンドの範囲である。
Ｃバンド（送信１５００）２２４は、ＩＦが１５００ＭＨｚであるときにおける、送信側のＣバンドの範囲である。
Ｄバンド（送信１５００）２２５は、ＩＦが１５００ＭＨｚであるときにおける、送信側のＤバンドの範囲である。
Ｅバンド（送信１５００）２２６は、ＩＦが１５００ＭＨｚであるときにおける、送信側のＥバンドの範囲である。
Ｆバンド（送信１５００）２２７は、ＩＦが１５００ＭＨｚであるときにおける、送信側のＦバンドの範囲である。
Ｇバンド（送信１５００）２２８は、ＩＦが１５００ＭＨｚであるときにおける、送信側のＧバンドの範囲である。
【００１９】
図５に示される送信側のスプリアスチャートでは、２ｎｄ  Ｌｏ  ＋  ＩＦ線２０１上にあるＢ〜Ｇバンド（送信１５００）２２３〜２２８において、スプリアスとなる線との交差が無いことから、送信側でＩＦが１５００ＭＨｚであるとスプリアスの落込みが無いことが確認できる。
【００２０】
図６を参照して、受信側について説明する。
図６は、図４におけるミキサ８４の入出力信号について表している。
縦軸は１５００ＭＨｚ  ＩＦ信号ｄ４の周波数とＲＦ  ＢＰＦ信号ｄ３の周波数との比を表しており、横軸は１ｓｔ  Ｌｏ（ＲＦ−１５００ＭＨｚ）信号ｄ５の周波数とＲＦ  ＢＰＦ信号ｄ３の周波数との比を表している。１ｓｔ  Ｌｏ（ＲＦ−１５００ＭＨｚ）信号ｄ５が可変するため、比の値が変化する。
【００２１】
ＲＦ−１ｓｔ  Ｌｏ線３０１は、ＲＦ  ＢＰＦ信号ｄ３の周波数から１ｓｔ  Ｌｏ（ＲＦ−１５００ＭＨｚ）信号ｄ５の周波数を引いた線であり、希望する周波数となる。
２ＲＦ−２（１ｓｔ  Ｌｏ）線３０２は、ＲＦ  ＢＰＦ信号ｄ３の２倍の周波数から１ｓｔ  Ｌｏ（ＲＦ−１５００ＭＨｚ）信号ｄ５の２倍の周波数を引いた線である。
以降の線はスプリアスとなる。
【００２２】
３ＲＦ−３（１ｓｔ  Ｌｏ）線３０３は、ＲＦ  ＢＰＦ信号ｄ３の３倍の周波数から１ｓｔ  Ｌｏ（ＲＦ−１５００ＭＨｚ）信号ｄ５の３倍の周波数を引いた線である。
４ＲＦ−４（１ｓｔ  Ｌｏ）線３０４は、ＲＦ  ＢＰＦ信号ｄ３の４倍の周波数から１ｓｔ  Ｌｏ（ＲＦ−１５００ＭＨｚ）信号ｄ５の４倍の周波数を引いた線である。
５ＲＦ−５（１ｓｔ  Ｌｏ）線３０５は、ＲＦ  ＢＰＦ信号ｄ３の５倍の周波数から１ｓｔ  Ｌｏ（ＲＦ−１５００ＭＨｚ）信号ｄ５の５倍の周波数を引いた線である。
６ＲＦ−６（１ｓｔ  Ｌｏ）線３０６は、ＲＦ  ＢＰＦ信号ｄ３の６倍の周波数から１ｓｔ  Ｌｏ（ＲＦ−１５００ＭＨｚ）信号ｄ５の６倍の周波数を引いた線である。
【００２３】
６ＲＦ−４（１ｓｔ  Ｌｏ）線３０７は、ＲＦ  ＢＰＦ信号ｄ３の６倍の周波数から１ｓｔ  Ｌｏ（ＲＦ−１５００ＭＨｚ）信号ｄ５の４倍の周波数を引いた線である。
３ＲＦ−２（１ｓｔ  Ｌｏ）線３０８は、ＲＦ  ＢＰＦ信号ｄ３の３倍の周波数から１ｓｔ  Ｌｏ（ＲＦ−１５００ＭＨｚ）信号ｄ５の２倍の周波数を引いた線である。
４ＲＦ−３（１ｓｔ  Ｌｏ）線３０９は、ＲＦ  ＢＰＦ信号ｄ３の４倍の周波数から１ｓｔ  Ｌｏ（ＲＦ−１５００ＭＨｚ）信号ｄ５の３倍の周波数を引いた線である。
５ＲＦ−４（１ｓｔ  Ｌｏ）線３１０は、ＲＦ  ＢＰＦ信号ｄ３の５倍の周波数から１ｓｔ  Ｌｏ（ＲＦ−１５００ＭＨｚ）信号ｄ５の４倍の周波数を引いた線である。
６ＲＦ−５（１ｓｔ  Ｌｏ）線３１１は、ＲＦ  ＢＰＦ信号ｄ３の６倍の周波数から１ｓｔ  Ｌｏ（ＲＦ−１５００ＭＨｚ）信号ｄ５の５倍の周波数を引いた線である。
【００２４】
Ｂバンド（受信１５００）３１８は、ＩＦが１５００ＭＨｚであるときにおける、受信側のＢバンドの範囲である。
Ｃバンド（受信１５００）３１９は、ＩＦが１５００ＭＨｚであるときにおける、受信側のＣバンドの範囲である。
Ｄバンド（受信１５００）３２０は、ＩＦが１５００ＭＨｚであるときにおける、受信側のＤバンドの範囲である。
Ｅバンド（受信１５００）３２１は、ＩＦが１５００ＭＨｚであるときにおける、受信側のＥバンドの範囲である。
Ｆバンド（受信１５００）３２２は、ＩＦが１５００ＭＨｚであるときにおける、受信側のＦバンドの範囲である。
Ｇバンド（受信１５００）３２３は、ＩＦが１５００ＭＨｚであるときにおける、受信側のＧバンドの範囲である。
【００２５】
図６に示される受信側のスプリアスチャートでは、ＲＦ−１ｓｔ  Ｌｏ線３０１上にあるＢ〜Ｇバンド（受信１５００）３１８〜３２３において、スプリアスとなる線との交差がないことから、受信側でＩＦが１５００ＭＨｚであるとスプリアスの落込みが無いことが確認できる。
【００２６】
【特許文献１】特開２００２−１５２１５８号公報
【発明の開示】
【発明が解決しようとする課題】
【００２７】
しかしながら、上述のような１５００ＭＨｚを用いたＩＦ方式のＴＴＬ装置では、装置構成の簡易化や装置の安価化といった点で、不十分な点があった。
具体的には、例えば、１５０４ＭＨｚパイロット信号を取り出す１５０４ＭＨｚ  ＢＰＦ８７、８８は、ＩＦが１５００ＭＨｚであると、急峻な減衰特性が必要になり、価格が高価となってしまう。ここで、１５０４ＭＨｚ  ＢＰＦが１個であると１５０４ＭＨｚパイロット信号を取り出しきれないため、図４に示されるように２個使用する必要がある。
また、受信変換器５２に１０ＭＨｚ信号の出力端子が無いため、多段に伝送する際に基準信号発生器が複数必要になってしまう。
【００２８】
本発明は、このような従来の事情に鑑み為されたもので、例えば、ＩＦ方式の送信所間伝送（ＴＴＬ）装置などにおいて、装置構成の簡易化や装置の安価化を実現することができる伝送装置を提供することを目的とする。
【課題を解決するための手段】
【００２９】
上記目的を達成するため、本発明では、伝送対象となる信号とパイロット信号が合成された信号をＩＦ信号からＲＦ信号へ変換して、送信側装置から受信側装置へ伝送する伝送装置において、次のような構成とした。
すなわち、前記送信側装置及び前記受信側装置では、前記伝送対象となる信号のＩＦとして８９５〜９１５ＭＨｚを使用する。
前記受信側装置では、受信手段が、前記送信側装置から送信された前記ＲＦ信号を受信する。ＩＦ変換手段が、前記受信手段により受信されたＲＦ信号をＩＦ信号へ変換する。パイロット信号抽出手段が、前記パイロット信号に対応する周波数の信号を通過させる特性を有する１個のフィルタを用いて、前記ＩＦ変換手段により変換されたＩＦ信号に含まれる前記パイロット信号を抽出する。ローカル信号生成手段が、前記パイロット信号抽出手段により抽出されたパイロット信号に基づいて、周波数変換のためのローカル信号を生成する。
【００３０】
従って、後述する実施例で示されるように、ＩＦとして８９５〜９１５ＭＨｚを使用すると、受信側装置では、パイロット信号を抽出するために、パイロット信号を通過させる特性を有するフィルタとして１個のフィルタのみを備えれば十分であるため、例えば、ＩＦ方式の送信所間伝送（ＴＴＬ）装置などにおいて、装置構成の簡易化や装置の安価化を実現することができる。また、後述する実施例で示されるように、ＩＦとして８９５〜９１５ＭＨｚを使用すると、スプリアスの落込みが無い状態を実現することができる。
【００３１】
ここで、送信側装置から受信側装置への伝送は、例えば、無線通信により行われる。
また、受信側装置において、パイロット信号に対応する周波数の信号を通過させる特性を有するフィルタとしては、例えば、ＢＰＦを用いることができる。
また、送信側装置や受信側装置としては、それぞれ、例えば、送信機能と受信機能の両方を有する装置として構成されてもよい。
【００３２】
一構成例として、本発明では、次のような構成とすることができる。
すなわち、上記した伝送装置において、
前記受信側装置では、前記ローカル信号生成手段は、前記パイロット信号抽出手段により抽出されたパイロット信号を用いて基準となる信号を発振する基準信号発振手段と、前記基準信号発振手段により発振された信号を用いて周波数変換のためのローカル信号を発振するローカル信号発振手段を有しており、
前記受信側装置は、前記基準信号発振手段により発振された信号を出力する基準信号出力端子を備え、
前記基準信号発振手段により発振される信号は、前記送信側装置が動作するための基準信号として用いることが可能である、
ことを特徴とする伝送装置。
【００３３】
従って、後述する実施例で示されるように、例えば、送信側装置が動作するために所定の基準信号が必要である場合であって、送信側装置から受信された伝送対象となる信号を受信側装置が他の送信側装置へ出力して当該他の送信側装置から他の受信側装置へ伝送するといったように多段の伝送が行われるような場合においても、受信側装置の基準信号出力端子から出力される信号を次段の送信側装置に入力して当該次段の送信側装置を動作させることができるため、複数の送信側装置の各々毎に基準信号を生成する手段を備えることを不要とすることができ、装置構成の簡易化や装置の安価化を図ることができる。
【００３４】
ここで、ローカル信号発振手段としては、例えば、複数備えられてもよく、一例として、受信側装置において受信信号に対する周波数変換が２回行われる場合には、第１の周波数変換のためのローカル信号を発振するローカル信号発振手段と、第２の周波数変換のためのローカル信号を発振するローカル信号発振手段を備えることができる。
【発明の効果】
【００３５】
以上説明したように、本発明に係る伝送装置によると、ＩＦとして８９５〜９１５ＭＨｚを使用することにより、例えば、受信側装置について、装置構成の簡易化や装置の安価化を実現することができ、また、スプリアスの落込みが無い状態を実現することができる。
【発明を実施するための最良の形態】
【００３６】
本発明に係る実施例を図面を参照して説明する。
本例では、ＩＦとして例えば９００ＭＨｚを使用した場合について説明する。
図１には、本発明の一実施例に係るＩＦ方式のＴＴＬ装置の構成例を示してある。本例のＴＴＬ装置は、送信変換器１と受信変換器２から構成されている。
送信変換器１は、前段機器１１と、基準信号発生器１２と、送信アンテナ２３と、それぞれ、接続されている。
送信変換器１は、通過周波数帯域が３７．１５ＭＨｚであるＢＰＦ１３と、１０ＭＨｚの信号を発振する発振部１４と、パイロット信号を発振するパイロット発振部１５と、第１のローカル信号（１ｓｔ  Ｌｏ）を発振する１ｓｔ  Ｌｏ発振部１６と、第２のローカル信号（２ｎｄ  Ｌｏ）を発振する２ｎｄ  Ｌｏ発振部１７と、ミキサ１８と、通過周波数帯域が９００ＭＨｚであるＢＰＦ１９と、ミキサ２０と、通過周波数帯域が無線周波数（ＲＦ）帯であるＢＰＦ２１と、電力増幅器（ＰＡ）２２を備えている。
【００３７】
受信変換器２は、受信アンテナ３１と、後段機器４５と、それぞれ、接続されている。
受信変換器２は、低雑音増幅器（ＬＮＡ）３２と、通過周波数帯域が無線周波数（ＲＦ）帯であるＢＰＦ３３と、ミキサ３４と、第１のローカル信号（１ｓｔ  Ｌｏ）を発振する１ｓｔ  Ｌｏ発振部３５と、通過周波数帯域が９００ＭＨｚであるＢＰＦ３６と、通過周波数帯域が９０４ＭＨｚであるＢＰＦ３７と、１０ＭＨｚの信号を発振する発振部３８と、第２のローカル信号（２ｎｄ  Ｌｏ）を発振する２ｎｄ  Ｌｏ発振部３９と、ミキサ４０と、通過周波数帯域が３７．１５ＭＨｚであるＢＰＦ４１と、通過阻止周波数帯域が４１．１５ＭＨｚであるＢＥＦ４２と、通過周波数帯域が３７．１５ＭＨｚであるＢＰＦ４３と、１０ＭＨｚの出力端子４４を備えている。
【００３８】
送信変換器１における動作について説明する。
送信変換器１は、前段機器１１からの３７．１５ＭＨｚ信号ａ１と、基準信号発生器１２からの１０ＭＨｚ基準信号ａ２を受けて動作する。
１０ＭＨｚ基準信号ａ２が入力された１０ＭＨｚ発振部１４は、１０ＭＨｚ信号ａ５を出力し、この信号をパイロット発振部１５、１ｓｔ  Ｌｏ発振部１６、２ｎｄ  Ｌｏ発振部１７に入力する。
パイロット発振部１５では４１．１５ＭＨｚパイロット信号ａ６が出力され、この信号が、３７．１５ＭＨｚ信号ａ１が３７．１５ＭＨｚ  ＢＰＦ１３を通過した結果である３７．１５ＭＨｚ  ＢＰＦ信号ａ３と合成されて、３７．１５信号ａ４となり、ミキサ１８に入力される。
１ｓｔ  Ｌｏ発振部１６からの出力である１ｓｔ  Ｌｏ（８６２．５ＭＨｚ）信号ａ７が、ミキサ１８に入力される。
【００３９】
ミキサ１８では、３７．１５信号ａ４と１ｓｔ  Ｌｏ（８６２．５ＭＨｚ）信号ａ７が乗算される。ミキサ１８からの出力である９００ＭＨｚ  ＩＦ信号ａ９が、９００ＭＨｚ  ＢＰＦ１９を通過して、９００ＭＨｚ  ＢＰＦ信号ａ１０となり、ミキサ２０に入力される。
２ｎｄ  Ｌｏ発振部１７は２ｎｄ  Ｌｏ（ＲＦ−９００ＭＨｚ）信号ａ８を出力し、この信号がミキサ２０に入力される。ここで、２ｎｄ  Ｌｏ発振部１７はシンセサイザを用いており、設定した同一バンド内であれば発振周波数を可変に変更することができる。
【００４０】
ミキサ２０では、９００ＭＨｚ  ＢＰＦ信号ａ１０と２ｎｄ  Ｌｏ（ＲＦ−９００ＭＨｚ）信号ａ８とを乗算し、当該乗算により得られるＲＦ信号ａ１１を出力する。
ＲＦ信号ａ１１は、ＲＦ  ＢＰＦ２１を通過して、ＲＦ  ＢＰＦ信号ａ１２となる。ここで、ＲＦ  ＢＰＦ２１の通過周波数帯域は、設定バンドの帯域幅になるため、２ｎｄ  Ｌｏ発振部１７の発振周波数である２ｎｄ  Ｌｏ（ＲＦ−９００ＭＨｚ）信号ａ８が可変しても対応することができる。
ＲＦ  ＢＰＦ信号ａ１２は、ＰＡ２２で増幅されて、ＰＡ信号ａ１３となる。
ＰＡ信号ａ１３は、送信アンテナ２３を通じて、ＲＦ  ｏｕｔ信号ａ１４として受信変換器２へ無線により送信される。
【００４１】
受信変換器２における動作について説明する。
送信変換器１から無線送信されたＲＦ  ｏｕｔ信号ａ１４が、受信アンテナ３１で受信され、ＲＦ  ＩＮ信号ｂ１として出力されて、ＬＮＡ３２に入力される。
ＬＮＡ３２でＲＦ  ＩＮ信号ｂ１が増幅されて、ＬＮＡ信号ｂ２となる。
ＬＮＡ信号ｂ２は、ＲＦ  ＢＰＦ３３を通過して、ＲＦ  ＢＰＦ信号ｂ３となり、ミキサ３４に入力される。
【００４２】
ミキサ３４からの出力である９００ＭＨｚ  ＩＦ信号６４は、９００ＭＨｚ  ＢＰＦ３６に入力される。
９００ＭＨｚ  ＩＦ信号６４が９００ＭＨｚ  ＢＰＦ３６を通過した結果である９００ＭＨｚ  ＢＰＦ信号ｂ６は、ミキサ４０と９０４ＭＨｚ  ＢＰＦ３７に入力される。
本例では、１個の９０４ＭＨｚ  ＢＰＦ３７で９００ＭＨｚ  ＢＰＦ信号ｂ６から９０４ＭＨｚパイロット信号ｂ７を取り出し、この信号が１０ＭＨｚ発振部３８に入力される。
【００４３】
１０ＭＨｚ発振部３８では、９０４ＭＨｚパイロット信号ｂ７から１０ＭＨｚ信号ｂ８を生成して、この信号が１ｓｔ  Ｌｏ発振部３５、２ｎｄ  Ｌｏ発振部３９、１０ＭＨｚ出力端子４４に入力される。これにより、本例では、１０ＭＨｚ信号ｂ８を、１０ＭＨｚ出力端子４４から後段へ渡すことが可能である。
１ｓｔ  Ｌｏ発振部３５では、１ｓｔ  Ｌｏ（ＲＦ−９００ＭＨｚ）信号ｂ５を出力し、この信号がミキサ３４に入力される。ここで、１ｓｔ  Ｌｏ発振部３５はシンセサイザを用いており、設定した同一バンド内であれば発振周波数を可変に変更することができる。
ミキサ３４では、ＲＦ  ＢＰＦ信号ｂ３と１ｓｔ  Ｌｏ（ＲＦ−９００ＭＨｚ）信号ｂ５とを乗算し、９００ＭＨｚ  ＩＦ信号ｂ４を出力する。
【００４４】
２ｎｄ  Ｌｏ発振部３９では、２ｎｄ  Ｌｏ（８６２．５ＭＨｚ）信号ｂ９を出力し、この信号がミキサ４０に入力される。
ミキサ４０では、９００ＭＨｚ  ＢＰＦ信号ｂ６と２ｎｄ  Ｌｏ（８６２．５ＭＨｚ）信号ｂ９とを乗算して、当該乗算により得られる３７．１５ＭＨｚ信号ｂ１０を出力する。
３７．１５ＭＨｚ信号ｂ１０は、３７．１５ＭＨｚ  ＢＰＦ  ４１を通過して、３７．１５ＭＨｚ  ＢＰＦ信号ｂ１１となる。
３７．１５ＭＨｚ  ＢＰＦ信号ｂ１１は、４１．１５ＭＨｚ  ＢＥＦ４２を通過して、４１．１５ＭＨｚ  ＢＥＦ信号ｂ１２となる。
４１．１５ＭＨｚ  ＢＥＦ信号ｂ１２は、３７．１５ＭＨｚ  ＢＰＦ４３を通過して、３７．１５ＭＨｚ  ＢＰＦ信号ｂ１３となる。
３７．１５ＭＨｚ  ＢＰＦ信号ｂ１３は、後段機器４５へと渡される。
【００４５】
次に、ＩＦに９００ＭＨｚを採用してスプリアスの発生を抑えている点について、図２には送信側のスプリアスチャートを示してあり、図３には受信側のスプリアスチャートを示してある。
図２を参照して、送信側について説明する。
図２は、図１におけるミキサ２０の入出力信号について表している。なお、図５に示されるものと同様なものについては、同一の符号を付してある。
縦軸はＲＦ信号ａ１１の周波数と２ｎｄ  Ｌｏ（ＲＦ−９００ＭＨｚ）信号ａ８の周波数との比を表しており、横軸は９００ＭＨｚ  ＢＰＦ信号ａ１０の周波数と２ｎｄ  Ｌｏ（ＲＦ−９００ＭＨｚ）信号ａ８の周波数との比を表している。２ｎｄ  Ｌｏ（ＲＦ−９００ＭＨｚ）信号ａ８が可変するため、比の値が変化する。
【００４６】
Ｂバンド（送信９００）２１７は、ＩＦが９００ＭＨｚであるときにおける、送信側のＢバンドの範囲である。
Ｃバンド（送信９００）２１８は、ＩＦが９００ＭＨｚであるときにおける、送信側のＣバンドの範囲である。
Ｄバンド（送信９００）２１９は、ＩＦが９００ＭＨｚであるときにおける、送信側のＤバンドの範囲である。
Ｅバンド（送信９００）２２０は、ＩＦが９００ＭＨｚであるときにおける、送信側のＥバンドの範囲である。
Ｆバンド（送信９００）２２１は、ＩＦが９００ＭＨｚであるときにおける、送信側のＦバンドの範囲である。
Ｇバンド（送信９００）２２２は、ＩＦが９００ＭＨｚであるときにおける、送信側のＧバンドの範囲である。
【００４７】
図２に示される送信側のスプリアスチャートでは、２ｎｄ  Ｌｏ＋ＩＦ線２０１上にあるＢ〜Ｇバンド（送信９００）２１７〜２２２において、スプリアスとなる線との交差がないことから、送信側でＩＦが９００ＭＨｚでもスプリアスの落込みが無いことが確認できる。
【００４８】
図３を参照して、受信側について説明する。
図３は、図１におけるミキサ３４の入出力信号について表している。なお、図６に示されるものと同様なものについては、同一の符号を付してある。
縦軸は９００ＭＨｚ  ＩＦ信号ｂ４の周波数とＲＦ  ＢＰＦ信号ｂ３の周波数との比を表しており、横軸は１ｓｔ  Ｌｏ（ＲＦ−９００ＭＨｚ）信号ｂ５の周波数とＲＦ  ＢＰＦ信号ｂ３の周波数との比を表している。１ｓｔ  Ｌｏ（ＲＦ−９００ＭＨｚ）信号ｂ５が可変するため、比の値が変化する。
【００４９】
Ｂバンド（受信９００）３１２は、ＩＦが９００ＭＨｚであるときにおける、受信側のＢバンドの範囲である。
Ｃバンド（受信９００）３１３は、ＩＦが９００ＭＨｚであるときにおける、受信側のＣバンドの範囲である。
Ｄバンド（受信９００）３１４は、ＩＦが９００ＭＨｚであるときにおける、受信側のＤバンドの範囲である。
Ｅバンド（受信９００）３１５は、ＩＦが９００ＭＨｚであるときにおける、受信側のＥバンドの範囲である。
Ｆバンド（受信９００）３１６は、ＩＦが９００ＭＨｚであるときにおける、受信側のＦバンドの範囲である。
Ｇバンド（受信９００）３１７は、ＩＦが９００ＭＨｚであるときにおける、受信側のＧバンドの範囲である。
【００５０】
図３に示される受信側のスプリアスチャートでは、ＲＦ−１ｓｔ  Ｌｏ線３０１上にあるＢ〜Ｇバンド（受信９００）３１２〜３１７において、スプリアスとなる線との交差がないことから、受信側でＩＦが９００ＭＨｚでもスプリアスの落込みが無いことが確認できる。
【００５１】
以上のように、本例のＩＦ方式のＴＴＬ装置は、送信変換器１と受信変換器２から構成され、ＲＦを可変する機能を有している。
送信変換器１は、基準信号発生器１２からの１０ＭＨｚ基準信号ａ２を受けて、１０ＭＨｚ信号ａ５を出力する１０ＭＨｚ発振部１４と、１０ＭＨｚ信号ａ５を入力して４１．１５ＭＨｚパイロット信号ａ６を出力するパイロット発振部１５と、１０ＭＨｚ信号ａ５を入力して８６２．５ＭＨｚ信号ａ７を出力する１ｓｔ  Ｌｏ発振部１６と、１０ＭＨｚ信号ａ５を入力して（ＲＦ−９００ＭＨｚ）の信号ａ８を出力する２ｎｄ  Ｌｏ発振部１７を備えた。
受信変換器２は、９００ＭＨｚ  ＢＰＦ信号ｂ６からパイロット信号ｂ７を取り出す９０４ＭＨｚ  ＢＰＦ３７と、パイロット信号ｂ７を入力して１０ＭＨｚ信号ｂ８を生成する１０ＭＨｚ発振部３８と、１０ＭＨｚ信号ｂ８を入力して（ＲＦ−９００ＭＨｚ）の信号ｂ５を出力する１ｓｔ  Ｌｏ発振部３５と、１０ＭＨｚ信号ｂ８を入力して８６２．５ＭＨｚの信号ｂ９を出力する２ｎｄ  Ｌｏ発振部３９を備えた。
【００５２】
また、送信変換器１の２ｎｄ  Ｌｏ発振部１７は、シンセサイザを用いて、ＲＦを可変することができる。
また、受信変換器２の１ｓｔ  Ｌｏ発振部３５は、シンセサイザを用いて、ＲＦを可変することができる。
また、送信変換器１では、ＩＦを９００ＭＨｚとして、２ｎｄ  Ｌｏ発振部１７とＲＦ  ＢＰＦ２１を交換（或いは、特性を変更）することで、ＢバンドからＧバンドまでのＲＦに対応することができる。
また、受信変換器２では、ＩＦを９００ＭＨｚとして、１ｓｔ  Ｌｏ発振部３５とＲＦ  ＢＰＦ３３を交換（或いは、特性を変更）することで、ＢバンドからＧバンドまでのＲＦに対応することができる。
また、本例では、受信変換器２に、１０ＭＨｚ発振部３８からの１０ＭＨｚ信号を出力する端子４４を備えた。
【００５３】
このように、送信変換器１では、４１．１５ＭＨｚパイロット信号ａ６と合成された３７．１５ＭＨｚ信号ａ４を９００ＭＨｚ  ＩＦ信号ａ９へ周波数変換した後にＲＦ信号ａ１１へ周波数変換して、受信変換器２へ送信する。
また、受信変換器２では、ＲＦ  ＩＮ信号ｂ１を９００ＭＨｚ  ＩＦ信号ｂ４へ周波数変換した後に３７．１５ＭＨｚ信号ｂ１０へ周波数変換する。また、１ｓｔ  Ｌｏ発振部３５や２ｎｄ  Ｌｏ発振部３９へ入力する１０ＭＨｚ信号ｂ８は、９０４ＭＨｚ  ＢＰＦ３７を通過した９０４ＭＨｚパイロット信号ｂ７より生成される。
【００５４】
従って、本例のＩＦ方式のＴＴＬ装置では、ＩＦ信号を９００ＭＨｚの信号とすることで、例えばＩＦ信号を１５００ＭＨｚの信号とした場合と比べて、ＢＰＦとして、減衰特性が緩やかで価格が安価な９０４ＭＨｚ  ＢＰＦ３７を用いることができる。また、本例のように、９０４ＭＨｚ  ＢＰＦを用いた場合には、十分な減衰特性が確保されるため、例えばＩＦ信号を１５００ＭＨｚの信号とした図４では２個のＢＰＦ８７、８８を使用していたのに対して、１個のＢＰＦ３７を使用する構成とすることができる。
【００５５】
このように、本例のＩＦ方式のＴＴＬ装置では、ＩＦの値を１５００ＭＨｚから、当該１５００ＭＨｚと同じくスプリアスの落込みの無い９００ＭＨｚとすることにより、スプリアスの落込み無しの状態を保ちつつ、ＢＰＦの数を減らして、装置構成の簡易化や、原価低減及び製品の安価化（低価格化）を実現することができる。
また、本例のＩＦ方式のＴＴＬ装置では、受信変換器２に１０ＭＨｚ信号の出力端子４４を付けたため、多段に伝送した際に複数の基準信号発生器１２を設けることを不要とすることができる。
【００５６】
なお、本例では、ＩＦ方式ＴＴＬ装置により伝送装置が構成されており、送信変換器１により送信側装置が構成されており、受信変換器２により受信側装置が構成されている。
また、本例では、前段機器１１から送信変換器１に入力されて受信変換器２へ伝送される信号により伝送対象となる信号が構成されており、パイロット発振部１５より発振される信号によりパイロット信号が構成されており、基準信号発生器１２から出力される信号により基準信号が構成されている。
【００５７】
また、本例の受信側装置では、受信アンテナ３１を用いて送信変換器１からのＲＦ信号を受信する機能により受信手段が構成されており、ミキサ３４を用いて受信信号を９００ＭＨｚのＩＦ信号へ周波数変換する機能によりＩＦ変換手段が構成されており、１個の９０４ＭＨｚ  ＢＰＦ３７を用いて受信信号（ＩＦ信号）に含まれるパイロット信号を抽出する機能によりパイロット信号抽出手段が構成されている。
また、本例の受信側装置では、１０ＭＨｚ発振部３８の機能により基準信号発振手段が構成されており、１ｓｔ  Ｌｏ発振部３５の機能や２ｎｄ  Ｌｏ発振部３９の機能によりローカル信号発振手段が構成されており、これらによりローカル信号生成手段が構成されている。
また、本例の受信側装置では、１０ＭＨｚ出力端子４４の機能により基準信号出力端子が構成されている。
なお、図７、８に示す様にＩＦとして８９５〜９１５ＭＨｚを使用する場合も、発振周波数やＢＰＦの通過帯域を対応して変化させることにより、前述したＩＦとして９００ＭＨｚを使用する場合と同様に、送信・受信のスプリアスチャートにおいてスプリアスの落ち込みのない状態を実現することができる。
【００５８】
ここで、ＩＦに８９５〜９１５ＭＨｚを採用してスプリアスの発生を抑えている点について、図７には送信側のスプリアスチャートを示してあり、図８には受信側のスプリアスチャートを示してある。
図７を参照して、送信側について説明する。
図７は、図１におけるミキサ２０の入出力信号について表している。なお、図２に示されるものと同様なものについては、同一の符号を付してある。
縦軸はＲＦ信号ａ１１の周波数と２ｎｄ  Ｌｏ（ＲＦ−（８９５〜９１５）ＭＨｚ）信号ａ８の周波数との比を表しており、横軸は８９５〜９１５ＭＨｚ  ＢＰＦ信号ａ１０の周波数と２ｎｄ  Ｌｏ（ＲＦ−（８９５〜９１５）ＭＨｚ）信号ａ８の周波数との比を表している。２ｎｄ  Ｌｏ（ＲＦ−（８９５〜９１５）ＭＨｚ）信号ａ８が可変するため、比の値が変化する。
【００５９】
Ｂバンド（送信８９５〜９１５）２２９は、ＩＦが８９５〜９１５ＭＨｚであるときにおける、送信側のＢバンドの範囲である。
Ｃバンド（送信８９５〜９１５）２３０は、ＩＦが８９５〜９１５ＭＨｚであるときにおける、送信側のＣバンドの範囲である。
Ｄバンド（送信８９５〜９１５）２３１は、ＩＦが８９５〜９１５ＭＨｚであるときにおける、送信側のＤバンドの範囲である。
Ｅバンド（送信８９５〜９１５）２３２は、ＩＦが８９５〜９１５ＭＨｚであるときにおける、送信側のＥバンドの範囲である。
Ｆバンド（送信８９５〜９１５）２３３は、ＩＦが８９５〜９１５ＭＨｚであるときにおける、送信側のＦバンドの範囲である。
Ｇバンド（送信８９５〜９１５）２３４は、ＩＦが８９５〜９１５ＭＨｚであるときにおける、送信側のＧバンドの範囲である。
【００６０】
図７に示される送信側のスプリアスチャートでは、２ｎｄ  Ｌｏ＋ＩＦ線２０１上にあるＢ〜Ｇバンド（送信８９５〜９１５）２２９〜２３４において、スプリアスとなる線との交差がないことから、送信側でＩＦが８９５〜９１５ＭＨｚでもスプリアスの落込みが無いことが確認できる。
【００６１】
図８を参照して、受信側について説明する。
図８は、図１におけるミキサ３４の入出力信号について表している。なお、図３に示されるものと同様なものについては、同一の符号を付してある。
縦軸は８９５〜９１５ＭＨｚ  ＩＦ信号ｂ４の周波数とＲＦ  ＢＰＦ信号ｂ３の周波数との比を表しており、横軸は１ｓｔ  Ｌｏ（ＲＦ−（８９５〜９１５）ＭＨｚ）信号ｂ５の周波数とＲＦ  ＢＰＦ信号ｂ３の周波数との比を表している。１ｓｔ  Ｌｏ（ＲＦ−（８９５〜９１５）ＭＨｚ）信号ｂ５が可変するため、比の値が変化する。
【００６２】
Ｂバンド（受信８９５〜９１５）３２４は、ＩＦが８９５〜９１５ＭＨｚであるときにおける、受信側のＢバンドの範囲である。
Ｃバンド（受信８９５〜９１５）３２５は、ＩＦが８９５〜９１５ＭＨｚであるときにおける、受信側のＣバンドの範囲である。
Ｄバンド（受信８９５〜９１５）３２６は、ＩＦが８９５〜９１５ＭＨｚであるときにおける、受信側のＤバンドの範囲である。
Ｅバンド（受信８９５〜９１５）３２７は、ＩＦが８９５〜９１５ＭＨｚであるときにおける、受信側のＥバンドの範囲である。
Ｆバンド（受信８９５〜９１５）３２８は、ＩＦが８９５〜９１５ＭＨｚであるときにおける、受信側のＦバンドの範囲である。
Ｇバンド（受信８９５〜９１５）３２９は、ＩＦが８９５〜９１５ＭＨｚであるときにおける、受信側のＧバンドの範囲である。
【００６３】
図８に示される受信側のスプリアスチャートでは、ＲＦ−１ｓｔ  Ｌｏ線３０１上にあるＢ〜Ｇバンド（受信８９５〜９１５）３２４〜３２９において、スプリアスとなる線との交差がないことから、受信側でＩＦが８９５〜９１５ＭＨｚでもスプリアスの落込みが無いことが確認できる。
【００６４】
ここで、本発明に係るシステムや装置などの構成としては、必ずしも以上に示したものに限られず、種々な構成が用いられてもよい。また、本発明は、例えば、本発明に係る処理を実行する方法或いは方式や、このような方法や方式を実現するためのプログラムや当該プログラムを記録する記録媒体などとして提供することも可能であり、また、種々なシステムや装置として提供することも可能である。
また、本発明の適用分野としては、必ずしも以上に示したものに限られず、本発明は、種々な分野に適用することが可能なものである。
また、本発明に係るシステムや装置などにおいて行われる各種の処理としては、例えばプロセッサやメモリ等を備えたハードウエア資源においてプロセッサがＲＯＭ（Ｒｅａｄ  Ｏｎｌｙ  Ｍｅｍｏｒｙ）に格納された制御プログラムを実行することにより制御される構成が用いられてもよく、また、例えば当該処理を実行するための各機能手段が独立したハードウエア回路として構成されてもよい。
また、本発明は上記の制御プログラムを格納したフロッピー（登録商標）ディスクやＣＤ（Ｃｏｍｐａｃｔ  Ｄｉｓｃ）−ＲＯＭ等のコンピュータにより読み取り可能な記録媒体や当該プログラム（自体）として把握することもでき、当該制御プログラムを当該記録媒体からコンピュータに入力してプロセッサに実行させることにより、本発明に係る処理を遂行させることができる。
【図面の簡単な説明】
【００６５】
【図１】本発明の一実施例に係るＩＦ方式のＴＴＬ装置の構成例を示す図である。
【図２】送信側のＩＦ信号の周波数を９００ＭＨｚとした場合における送信側のスプリアスチャートの一例を示す図である。
【図３】受信側のＩＦ信号の周波数を９００ＭＨｚとした場合における受信側のスプリアスチャートの一例を示す図である。
【図４】ＩＦ方式のＴＴＬ装置の構成例を示す図である。
【図５】送信側のＩＦ信号の周波数を１５００ＭＨｚとした場合における送信側のスプリアスチャートの一例を示す図である。
【図６】受信側のＩＦ信号の周波数を１５００ＭＨｚとした場合における受信側のスプリアスチャートの一例を示す図である。
【図７】送信側のＩＦ信号の周波数を８９５〜９１５ＭＨｚとした場合における送信側のスプリアスチャートの一例を示す図である。
【図８】受信側のＩＦ信号の周波数を８９５〜９１５ＭＨｚとした場合における受信側のスプリアスチャートの一例を示す図である。
【符号の説明】
【００６６】
１、５１・・送信変換器、  ２、５２・・受信変換器、  １１、６１・・前段機器、  １２、６２・・基準信号発生器、  １３、１９、２１、３３、３６、３７、４１、４３、６３、６９、７１、８３、８６、８７、８８、９２、９４・・ＢＰＦ、  １４、３８、６４、８９・・発振部、  １５、６５・・パイロット発振部、  １６、１７、３５、３９、６６、６７、８５、９０・・Ｌｏ発振部、  １８、２０、３４、４０、６８、７０、８４、９１・・ミキサ、  ２２、７２・・ＰＡ、  ２３、７３・・送信アンテナ、  ３１、８１・・受信アンテナ、  ３２、８２・・ＬＮＡ、  ４２、９３・・ＢＥＦ、  ４４・・出力端子、  ４５、９５・・後段機器、
ａ１、ｃ１・・３７．１５ＭＨｚ信号、  ａ２、ｃ２・・１０ＭＨｚ基準信号、  ａ３、ｃ３・・３７．１５ＭＨｚ  ＢＰＦ信号、  ａ４、ｃ４・・３７．１５信号、  ａ５、ｃ５・・１０ＭＨｚ信号、  ａ６、ｃ６・・４１．１５ＭＨｚパイロット信号、  ａ７・・１ｓｔ  Ｌｏ（８６２．５ＭＨｚ）信号、  ａ８・・２ｎｄ  Ｌｏ（ＲＦ−９００ＭＨｚ）信号、  ａ９・・９００ＭＨｚ  ＩＦ信号、  ａ１０・・９００ＭＨｚ  ＢＰＦ信号、  ａ１１、ｃ１１・・ＲＦ信号、  ａ１２、ｃ１２・・ＲＦ  ＢＰＦ信号、  ａ１３、ｃ１３・・ＰＡ信号、  ａ１４、ｃ１４・・ＲＦ  ｏｕｔ信号、  ｂ１、ｄ１・・ＲＦ  ＩＮ信号、  ｂ２、ｄ２・・ＬＮＡ信号、  ｂ３、ｄ３・・ＲＦ  ＢＰＦ信号、  ｂ４・・９００ＭＨｚ  ＩＦ信号、  ｂ５・・１ｓｔ  Ｌｏ（ＲＦ−９００ＭＨｚ）信号、  ｂ６・・９００ＭＨｚ  ＢＰＦ信号、  ｂ７・・９０４ＭＨｚ  パイロット信号、  ｂ８、ｄ９・・１０ＭＨｚ信号、  ｂ９・・２ｎｄ  Ｌｏ（８６２．５ＭＨｚ）信号、  ｂ１０、ｄ１１・・３７．１５ＭＨｚ信号、  ｂ１１、ｄ１２・・３７．１５ＭＨｚ  ＢＰＦ信号、  ｂ１２、ｄ１３・・４１．１５ＭＨｚ  ＢＥＦ信号、  ｂ１３、ｄ１４・・３７．１５ＭＨｚ  ＢＰＦ信号、
ｃ７・・１ｓｔ  Ｌｏ（１４６２．５ＭＨｚ）信号、  ｃ８・・２ｎｄ  Ｌｏ（ＲＦ−１５００ＭＨｚ）信号、  ｃ９・・１５００ＭＨｚ  ＩＦ信号、  ｃ１０・・１５００ＭＨｚ  ＢＰＦ信号、  ｄ４・・１５００ＭＨｚ  ＩＦ信号、  ｄ５・・１ｓｔ  Ｌｏ（ＲＦ−１５００ＭＨｚ）信号、  ｄ６・・１５００ＭＨｚ  ＢＰＦ信号、  ｄ７・・１５０４ＭＨｚ  ＢＰＦ信号、  ｄ８・・１５０４ＭＨｚパイロット信号、  ｄ１０・・２ｎｄ  Ｌｏ（１４６２．５ＭＨｚ）信号、
２０１・・２ｎｄ  Ｌｏ＋ＩＦ線、  ２０２・・３ＩＦ線、  ２０３・・４ＩＦ線、  ２０４・・５ＩＦ線、  ２０５・・６ＩＦ線、  ２０６・・７ＩＦ線、  ２０７・・８ＩＦ線、  ２０８・・２ｎｄ  Ｌｏ＋２ＩＦ線、  ２０９・・２（２ｎｄ  Ｌｏ）＋２ＩＦ線、  ２１０・・２（２ｎｄ  Ｌｏ）＋３ＩＦ線、  ２１１・・２（２ｎｄ  Ｌｏ）＋４ＩＦ線、  ２１２・・２（２ｎｄ  Ｌｏ）＋５ＩＦ線、  ２１３・・２（２ｎｄ  Ｌｏ）＋６ＩＦ線、  ２１４・・２（２ｎｄ  Ｌｏ）＋７ＩＦ線、  ２１５・・２（２ｎｄ  Ｌｏ）＋８ＩＦ線、  ２１６・・２（２ｎｄ  Ｌｏ）＋９ＩＦ線、  ２１７・・Ｂバンド（送信９００）、  ２１８・・Ｃバンド（送信９００）、  ２１９・・Ｄバンド（送信９００）、  ２２０・・Ｅバンド（送信９００）、  ２２１・・Ｆバンド（送信９００）、  ２２２・・Ｇバンド（送信９００）、  ２２３・・Ｂバンド（送信１５００）、  ２２４・・Ｃバンド（送信１５００）、  ２２５・・Ｄバンド（送信１５００）、  ２２６・・Ｅバンド（送信１５００）、  ２２７・・Ｆバンド（送信１５００）、  ２２８・・Ｇバンド（送信１５００）、
３０１・・ＲＦ−１ｓｔ  Ｌｏ線、  ３０２・・２ＲＦ−２（１ｓｔ  Ｌｏ）線、  ３０３・・３ＲＦ−３（１ｓｔ  Ｌｏ）線、  ３０４・・４ＲＦ−４（１ｓｔ  Ｌｏ）線、  ３０５・・５ＲＦ−５（１ｓｔ  Ｌｏ）線、  ３０６・・６ＲＦ−６（１ｓｔ  Ｌｏ）線、  ３０７・・６ＲＦ−４（１ｓｔ  Ｌｏ）線、  ３０８・・３ＲＦ−２（１ｓｔ  Ｌｏ）線、  ３０９・・４ＲＦ−３（１ｓｔ  Ｌｏ）線、  ３１０・・５ＲＦ−４（１ｓｔ  Ｌｏ）線、  ３１１・・６ＲＦ−５（１ｓｔ  Ｌｏ）線、  ３１２・・Ｂバンド（受信９００）、  ３１３・・Ｃバンド（受信９００）、  ３１４・・Ｄバンド（受信９００）、  ３１５・・Ｅバンド（受信９００）、  ３１６・・Ｆバンド（受信９００）、  ３１７・・Ｇバンド（受信９００）、  ３１８・・Ｂバンド（受信１５００）、  ３１９・・Ｃバンド（受信１５００）、  ３２０・・Ｄバンド（受信１５００）、  ３２１・・Ｅバンド（受信１５００）、  ３２２・・Ｆバンド（受信１５００）、  ３２３・・Ｇバンド（受信１５００）、
２２９・・Ｂバンド（送信８９５〜９１５）、  ２３０・・Ｃバンド（送信８９５〜９１５）、  ２３１・・Ｄバンド（送信８９５〜９１５）、  ２３２・・Ｅバンド（送信８９５〜９１５）、  ２３３・・Ｆバンド（送信８９５〜９１５）、  ２３４・・Ｇバンド（送信８９５〜９１５）、  ３２４・・Ｂバンド（受信８９５〜９１５）、  ３２５・・Ｃバンド（受信８９５〜９１５）、  ３２６・・Ｄバンド（受信８９５〜９１５）、  ３２７・・Ｅバンド（受信８９５〜９１５）、  ３２８・・Ｆバンド（受信８９５〜９１５）、  ３２９・・Ｇバンド（受信８９５〜９１５）
【図１】
2010087943.tif 000003
【図２】
2010087943.tif 000004
【図３】
2010087943.tif 000005
【図４】
2010087943.tif 000006
【図５】
2010087943.tif 000007
【図６】
2010087943.tif 000008
【図７】
2010087943.tif 000009
【図８】
2010087943.tif 000010